Podtech/llm-jp-corpus-v4-ja_patent huggingface dataset:
(57)【要約】      （修正有）【課題】水道管凍結防止のため、水抜栓・ヒーター・保温材を用いたり、配管や水抜栓を凍結深度以下に埋没するなどしていた。そのため、工事費が高くついたり、点検等も困難であった。【解決手段】水の性質を利用し、循環ポンプを用いて水を循環させ、配管内の水を凍結から防ぐ。【選択図】図１
2010209671.tif 000002
【特許請求の範囲】
【請求項１】
床下露出配管から屋内給水栓への配管部分に、給水栓から床下露出配管へ戻る戻し配管を設け、該戻し配管の途中に循環ポンプと水温センサーを配置し、給水側に流量センサーと逆流防止止栓を設け、給水栓から循環ポンプを経て床下露出配管へ戻る循環回路を形成した事を特徴とする水道配管凍結防止装置。
【発明の詳細な説明】
【技術分野】
【０００１】  本発明は、水の性質を利用し、循環ポンプを用いて水を循環させ、配管内の水を凍結から防ぐ装置に関するものである。
【背景技術】
【０００２】  寒冷地における従来の水道配管では、凍結を防ぐために、水抜栓・ヒーター・保温材等を用いるか、凍結深度以下に配管を埋没していた。そのために、次のような問題点があった。（イ）水抜栓の締め忘れ等により凍結し、配管等の破損があった。（ロ）水抜栓は、一般的に床又は床下等，低い所にあるため、高齢者や身体障害者等の生活弱者にとっては、開閉操作等が困難である。又、電動式のものもあるが高価である。（ハ）配管や水抜栓を凍結深度以下に埋没しなければならない。又は、ヒーターや保温材を用いなければならないため、配管時の作業が困難な上、工事費が高く付き、費用がかさんでいた。（ニ）修繕・点検等も配管が埋没や隠ぺいされているため困難である。
【発明が解決しようとする課題】
【０００３】  本発明は水の性質を利用し、循環ポンプを用いて水を循環させ、配管内の水を凍結から防ぐ水道配管凍結防止装置を提供することを目的とする。
【課題を解決するための手段】
【０００４】  水は流動している時は凍結しにくいという性質を利用して、配管内の水を循環ポンプを用いて流動させる事により凍結を防ぐ。床下露出配管から室内の給水栓への配管部分に、給水栓から床下露出配管へ戻る戻し配管を設け、該戻し配管の途中に循環ポンプを配置し、循環ポンプを経て、床下露出配管へ戻る循環回路を形成する。又、循環ポンプに保温カバーをかぶせる事で、防音するとともに、循環ポンプの排熱を利用し、より一層、凍結を防ぐ事を特徴とする。本発明は水道配管凍結防止装置である。
【発明の効果】
【０００５】  水道配管が凍結しないため、露出配管が出来るので、次のことが可能になる。（イ）配管工事が簡単なため、従来よりも工期が短く、費用も安上がりに出来る。（ロ）水抜栓の開閉などの煩わしさから開放されるため、特に高齢者や身体障害者等の生活弱者には重宝である。（ハ）外出や留守にしても、気温の急激な変化に伴う水抜栓の開閉等を心配しなくてもよく、安心・安全である。
【図面の簡単な説明】
【０００６】
【図１】通常、本管（４）からメーター（３）を経由し、逆流防止水栓（６）を通り、床下露出配管（８）に接続した給水栓（１）から水道水を使用する事ができる。配管温度が凍結温度まで下がった時には、水温センサー（７）が感知し、循環ポンプ（５）が作動して給水栓（１）から戻し配管（２）を通って循環ポンプ（５）へ戻り、循環ポンプ（５）から床下露出配管（８）へ流動し、循環回路が形成される。
【発明を実施するための最良の形態】
【０００７】  以下、本発明の水道配管凍結防止装置の動作について説明する。（イ）水を循環させるため、循環ポンプ（５）を用いる。（ロ）循環ポンプ（５）は水温センサー（７）により、床下露出配管（８）が凍結温度に近づいたら自動運転させ、床下露出配管（８）及び、戻し配管（２）内の水を流動させる。配管温度が凍結温度以上に上昇したら、運転を自動停止させ、電気の省エネ化を図る。（ハ）水が流動する事により、水の性質上、凍結しにくくなる。また、水の摩擦熱や循環ポンプ（５）からの発熱もあり、それらを利用する事で、床下露出配管配管（８）内や戻し配管（２）内の水温も若干上昇するので、より凍結を防ぐ効果が生まれる。（ニ）給水側の本管（４）に逆流を防ぐための逆流防止止水栓（６）を設置する。（ホ）流量センサー（９）をメーター（３）と逆流防止止水栓の間に取り付ける。流量センサー（９）の感知により、水が流動している時は循環ポンプ（５）が止まり、水が流動していない時は循環ポンプ（５）が運転する。水温センサー（７）と流量センサー（９）は直列配線にして連動させる。（ヘ）配管内の温度が高い時は水温センサー（７）はＯＦＦ、水が流動している時は流量センサー（９）はＯＦＦで、循環ポンプ（５）は運転しないが、水が流動しているため配管内は凍結しない。（ト）配管内の温度が凍結温度以下の時は、水温センサー（７）はＯＮで、水が流動していない時、流量センサー（９）はＯＮで、循環ポンプ（５）は運転する。水が流動するため配管内は凍結しない。（チ）配管内の温度が凍結温度以下の時、水温センサー（７）はＯＮで水が流動している時、流量センサー（９）はＯＦＦで循環ポンプ（５）は運転しないが、水が流動しているため配管内は凍結しない。（リ）配管内の温度が凍結温度以上の時、水温センサー（７）はＯＦＦで水が流動しない時、流量センサー（９）はＯＮでも循環ポンプ（５）は運転しないが、配管内の温度が凍結温度以上なので凍結しない。
【符号の説明】
【０００８】  （１）給水栓
（２）戻し配管
（３）メーター
（４）本管
（５）循環ポンプ
（６）逆流防止水栓
（７）水温センサー
（８）床下露出配管
（９）流量センサー
【図１】
2010209671.tif 000003
(57)【要約】      （修正有）【課題】防犯対策のための玄関扉を提供する。【解決手段】玄関扉２上部に、人は出入りはできないが、小荷物が受け取れ、外から開けられない小型扉１を設け、小型扉１を開けることにより来訪者を充分確認でき、玄関扉２の裏の小型扉１下部にテーブル３を設け、テーブル３を利用して書類類の記入、捺印をおこなうと共に、小型扉１を開けないときはテーブル３を小型扉１の背面に収納しておく。【選択図】図３
2010209672.tif 000002
【特許請求の範囲】
【請求項１】
玄関扉上部に、人は出入りできないが、小荷物が受け取れ外から開けられない小型扉を設け、玄関扉裏の小型扉下部にテーブルを設けたことを特徴とする玄関扉。
【発明の詳細な説明】
【技術分野】
【０００１】  この発明は、来訪者と玄関扉を開けずに、応対できる防犯対策に関するものである。
【背景技術】
【０００２】  従来、玄関扉を開けるか、ドアチェーンを付けた状態で応対していた。
【発明の開示】
【発明が解決しようとする課題】
【０００３】  そのために、次のような問題点があった。
ドアチェーンを付けた状態では、宅配物は受けとれず、玄関扉を開ければ業者を装った暴漢に押し入られる危険があった。本発明は、以上の問題点を解決するためになされたものである。
【課題を解決するための手段】
【０００４】  玄関扉上部に、人の出入りはできないが、小荷物が受け取れ、外から開けられない小型扉を設け、玄関扉裏の小型扉下部に、テーブルを設けた玄関扉である。
【発明の効果】
【０００５】  小型扉を開け、来訪者を十分に確認できる。大きい物でなければ受け取れることができ、テーブルを利用して書類等の記入、捺印ができる。
【発明を実施するための最良の形態】
【０００６】  以下本発明の実施の形態について設明する。
玄関扉（２）の上部に小型扉（１）を設け、下部にテーブル（３）を設ける。小型扉を開けないときは、テーブル（３）をマグネット等で、小型扉の背面に収納しておく。
本発明は、以上の構成よりなっている。
これを使用するときは、取っ手（５）を引いてテーブル（３）をセットする。
取っ手（４）を引いて小型扉（１）を開ける。
本発明の実施の形態では、小型扉の形状は、玄関扉の正面のデザインによって、縦長、横長、楕円形としてもよい。
【図面の簡単な説明】
【０００７】
【図１】  本発明の正面図
【図２】  本発明の側面図
【図３】  本発明の背面図
【図４】  本発明の使用状態を示す背面図
【符号の説明】
【０００８】１  小型扉
２  玄関扉
３  テーブル
４  取っ手
５  取っ手
【図１】
2010209672.tif 000003
【図２】
2010209672.tif 000004
【図３】
2010209672.tif 000005
【図４】
2010209672.tif 000006
(57)【要約】【課題】従来の紙コップの形状は底面より開口部が大きくなっているため、飲みやすいが横揺れに弱く内容物がこぼれやすい。内容物の液面のゆれに対して紙コップの内壁面が放射状に解放されている形状であるため、内容物の揺り返しに対して抵抗がなく必然的にこぼれやすい。収納性の確保。【解決手段】底面より上部飲み口面を小さくし、揺れに対して内容物が紙コップ外に流出し難い形状にする。内袋を設け、それを反転させることにより収納性とコップとしての体積を両立する。【選択図】図１
2010208691.tif 000002
【特許請求の範囲】
【請求項１】
容器本体の底部の平面積より開口部の平面積が小さく、容器本体の周壁の角度が開口部に向かって円錐状に形成したことを特徴とする紙コップ。
【請求項２】
前記容器本体において、容器底面を開口させ、筒状を形成し、容器内側面に開口部を固定する袋状のものを設置し、前記袋状のものを反転させることにより、複数の容器を重ねて収納できることを特徴とした請求項１記載の紙コップ。
【発明の詳細な説明】
【技術分野】
【０００１】本発明は紙コップに関する。
【背景技術】
【０００２】一般に紙コップは取っ手などはなくシンプルな形状でアウトドアやイベントなどで飲み物を飲むときなどに汎用的に利用される。また重ねることにより少ないスペースに収納、保管することができる。
【発明の概要】
【発明が解決しようとする課題】
【０００３】従来の紙コップの形状は底面より開口部が広くなっているため飲みやすいが、横揺れに弱く内容物がこぼれやすい。内容物の液面のゆれに対して紙コップの内壁面が放射状に解放されている形状であるため、内容物の揺り返しに対して抵抗がなく必然的にこぼれやすい。
収納性の確保。
【課題を解決するための手段】
【０００４】容器本体の底部の平面積より開口部の平面積が小さく、容器本体の周壁の角度が開口部に向かって円錐状に形成した紙コップ。【０００５】また、収納効率をよくするため前記容器の形状において、容器底面を開口させ、筒状を形成し、容器内側面に開口部を固定する袋状のものを設置し、前記袋状のものを反転させることにより、複数の容器を重ねて収納できる紙コップ。
【発明の効果】
【０００６】請求項１に記載の発明によれば、振動や揺れに強く底面が飲み口の開口部より大きいため安定し、飲み口の開口部が底面より小さく窄まっているので内容物がこぼれにくい。【０００７】また、請求項２に記載の発明によれば、複数の紙コップを底部開口部から重ねて収納できる
【図面の簡単な説明】
【図１】本発明に係る紙コップの一実施例の形態を表す図面。
【図２】本発明に係る紙コップの一実施例の使用状況を表す図面。
【発明を実施するための最良の形態】
【実施例１】以下、本発明を図面に示す実施の形態に基づいて説明する。【０００８】請求項１によると、図１（Ａ）は本発明の紙コップの一例の上面図で、図１（Ｂ）は正面断面図であり、底部ａより上部ｂが小さい円錐状の容器本体の周壁１と容器本体の底壁４と上部に飲み口の開口部５を設ける。
【実施例２】
【０００９】請求項２によると、図１（Ｃ）は本発明の紙コップの一例の上面図で、図１（Ｄ）は正面断面図であり、図２（Ｅ）は内容物投入時のイメージ断面図である。図１（Ｄ）のように、底部ａより上部ｂが小さい円錐状の筒状の容器本体の周壁１と袋状のもの２を容器本体の周壁１の内側中央付近の固定位置３に接着もしくは圧着する。【００１０】袋状のもの２の大きさは図２（Ｅ）のように内容物を投入したとき、容器本体の周壁１内に収まる範囲である。【００１１】図２（Ｆ）は複数紙コップ（図ではコップＡ、コップＢの２個）を重ねて収納した状態の図であり、袋状のもの２は上部に張り付く状態で周壁１と重なり合う。袋状のもの２及び容器本体に内容物を投入したときは図２（Ｅ）のように袋状のもの２は反転し、容器本体の周壁１の上部から底部に下がり体積を確保する。用途によっては逆に袋状のものを反転させずに使用するのも可能である。
【符号の説明】１：容器本体の周壁
２：袋状のもの
３：固定位置
４：容器本体の底壁
【図１】
2010208691.tif 000003
【図２】
2010208691.tif 000004
(57)【要約】      （修正有）【課題】運転中の転倒や，衝突事故を起こしたときに，運転者の指を保護する構造を持ったブレーキレバーを有する自転車やバイクを提供する。【解決手段】自転車やバイクのブレーキレバー４に前方又は下方に金属製の指のガード部１を設け，手袋をしていても楽に指が入る空間部２を設ける。【選択図】図１
2010208611.tif 000002
【特許請求の範囲】
【請求項１】
ブレーキレバー及びクラッチレバーの握り手部分に指のガード部（１）と，指が入る空間（２）を設けた自転車及びバイク。
【発明の詳細な説明】
【技術分野】
【００１】  この発明は，自転車やバイクの運転中に転倒等による指の切断や，損傷することを防止する構造を有する自転車及びバイクのブレーキレバーと，クラッチレバーに関するものである。
【背景技術】
【００２】  従来，自転車及びバイクのブレーキレバーと，クラッチレバーはシンプルな構造のものがあった。
【発明の開示】
【発明が解決しようとする課題】
【００３】  これは次のような欠点があった。
（イ）  ブレーキレバーを握った状態で転倒したとき，路面とブレーキレバーに指に挟まれ，指の切断や損傷することがあった。
（ロ）  手袋をして運転しているとブレーキレバー等を握った指が滑り抜けることがあった。
本発明は，これらの欠点を除くためになされたものである。
【課題を解決するための手段】
【００４】  ブレーキレバーとクラッチレバーの構造を握り手の部分を取り囲む指のガード部（１）を設け，指が入る空間部（２）を設けることで転倒や接触事故のときに路面や車等に指が挟まれないようにする。指を囲っている外側の部分が先に接触し衝撃を吸収することで指を保護する。
本発明は，以上のような構成からなる自転車及びバイクである。
【発明の効果】
【００５】  発明は以上のような構造で，老人や子供のように咄嗟の行動がとれない人の転倒事故等による，指の切断や損傷防止には効果があり，低価格で生産できる。
【発明を実施するための最良の形態】
【００６】  以下，本案の実施の形態について説明する。
（イ）  自転車のハンドル部分の下部にブレーキレバーのある一般的な自転車の場合は，ブレーキレバーの指のガード部（１）と指が入る空間部（２）は路面に面した側に設ける。
（ロ）  自転車やバイクでブレーキレバー等が前方に向いている場合は，指のガード部（１）と指が入る空間部（２）は前方側に設ける。
【図面の簡単な説明】
【００７】
【図１】  本発明の一部を切り欠いた側面図である。
【図２】  本発明の一部を切り欠いた斜視図である。
【図３】  本発明の（００６）の（ロ）のバイクの場合の本発明の一部を切り欠いた平面図である。
【図４】  本発明の他の実施例を示す一部を切り欠いた側面図である。
【符号の説明】
【００８】  １  指のガード部  ２  指が入る空間部  ３  ハンドル  ４  ブレーキレバー
【図１】
2010208611.tif 000003
【図２】
2010208611.tif 000004
【図３】
2010208611.tif 000005
【図４】
2010208611.tif 000006
(57)【要約】【課題】  台車を走行させた時に、発生する騒音を低減することが出来、かつ、構造がシンプルである手押し台車を提供する。【解決手段】騒音は、車輪が路面から離れたり着地したりする事で発生する。そこで、車輪が路面から離れないような構造とした。その方法として、自在式の両前輪１をプレート２の下面に取り付ける。そのプレートの中心軸を、台車下面の中心軸上にシャフト３で取り付ける。プレートと台車下面の間には隙間があり、プレートはシャフトを軸として上下に振れて動く事が出来る。凹凸のある路面を通過する時は、プレートが振れることにより、両前輪はどちらも路面から離れることはない。これにより、自在キャスターから発生する騒音は低減することが出来る。【選択図】図２
2010208612.tif 000002
【特許請求の範囲】
【請求項１】
台車の架台と車輪の間に、プレートを備えた搬送用の手押し台車。
【請求項２】
台車の架台と車輪の付いたプレートが架台の中心軸で連結して車輪の左右が上下動するとプレートも連動する事を特徴とする請求項１記載の手押し台車。
【請求項３】
台車架台とプレートの間に隙間がある為、凸凹のある路面を通過する際も車輪は路面から離れない事を特徴とする請求項１、２記載の手押し台車。
【発明の詳細な説明】
【技術分野】
【０００１】本発明は、荷物を載せて搬送する手押し台車に関するものである。
【背景技術】
【０００２】従来において、市販されている手押し台車は、平坦な道以外を走行するとガタガタと騒音が発生し不快であった。【０００３】車輪にクッション機能を備えたものもあるが、問題解決には不充分である。
【発明の開示】
【発明が解決しようとする課題】
【０００４】クッション付きのキャスターではストロークが短く、左右の高低差がある所では、キャスターは路面から離れてしまうので、それが騒音の発生原因となる。
【課題を解決するための手段】
【０００５】本発明は、このような従来の問題を解決しようとするもので、騒音を低減しかつ、構造がシンプルである手押し台車を、提供する事を目的とするものである。【０００６】前輪キャスターを、台車本体の下にある、プレートに取り付ける。【０００７】プレートは、台車本体の中心軸上に取り付けてあり、左右の高低差が生じても路面に追従する事が出来、左右のキャスターが路面より離れることは無い。【０００８】キャスターは、路面を離れる事はないので、発生する騒音は押えられる。
【発明の効果】
【０００９】本発明によれば、台車が左右の高低差のある路面を通過する際に発生する自在キャスター側から発生する騒音を、押えることが出来る。
【産業上の利用可能性】
【００１０】上述の発明は、手押し台車が街中を走る際に発生する騒音を押える為、人が台車を使って荷物を運ぶ、クリーンでエコな方法に利用可能である。
【図面の簡単な説明】
【図１】本発明にかかる手押し台車の側面図である。
【図２】台車の底面図である。
【図３】台車の正面図である。
【図４】左右高低差のある所に前輪が乗り上げた時の図である。
【符号の説明】１…自在式キャスターの前輪
２…プレート
３…シャフト
【図１】
2010208612.tif 000003
【図２】
2010208612.tif 000004
【図３】
2010208612.tif 000005
【図４】
2010208612.tif 000006
(57)【要約】【課題】  余分な道具を使わず簡単・スピーディに無添加のマヨネーズが作れ、そのままの容器で使用・保存ができ、中身が残りわずかになっても、搾り出して無駄なく最後まで使える容器を提供する。【解決手段】市販マヨネーズのチューブ状容器、もしくはその様な容器（１）に、卵黄または全卵が取り出したそのままの形状でも入れやすい程大きくした口部分（２）を設け、ネジ式で脱着できる、搾り出し口のついたダブルキャップ（３）を設けた、簡単・スピーディに無添加の手作りマヨネーズが作れ、そのまま使用・保存ができる容器を特徴とする。【選択図】図１
2010208689.tif 000002
【特許請求の範囲】
【請求項１】
（イ）  市販マヨネーズのやわらかいチューブ状容器、もしくはその様な容器（１）の口部分を大きく（２）設ける。
（ロ）  口部分（２）に、ネジ式で脱着できる、搾り出し口のついたダブルキャップ（３）を設ける。
以上の構成よりなる、簡単・スピーディに無添加の手作りマヨネーズが作れ、そのまま使用・保存もできる容器。
【発明の詳細な説明】
【技術分野】
【０００１】  この発明は、市販マヨネーズのやわらかいチューブ状容器、もしくはその様な容器の口部分を、材料の卵黄または全卵を取り出したそのままの形状でも入れやすい程に大きく設け、できたマヨネーズを他の容器に移し替える手間を省きそのまま搾り出して使える様に、搾り出し口のついた、ネジ式で脱着できるダブルキャップを設けた、簡単・スピーディに無添加の手作りマヨネーズが作れ、そのまま使用・保存ができる容器に関するものである。
【背景技術】
【０００２】
【特許文献１】従来、市販マヨネーズのチューブ状容器は口部分が小さく、卵などの材料を入れるのが容易でなかった。
【特許文献２】従来、手作り用ドレッシング容器は、容器の材質が硬かった、もしくは硬めだった。
【特許文献３】従来、手作り用ドレッシング容器は、注ぎ口を上にして保存するようになっていた。
【発明の開示】
【発明が解決しようとする課題】
【０００３】これは、次のような欠点があった。
従来、手作り用ドレッシング容器は硬めの材質で出来ており、主に液体用に利用される事が多く、マヨネーズの様な半固体状のタイプでの使用においては、中身を搾り出す事ができず、残りが少なくなってきた時にも最後まできれいに使いきるのに不便であった。
また、使い終わった市販マヨネーズの空き容器を利用するには口部分が小さすぎ、材料を入れる事が困難であった。
本発明は、以上のような欠点をなくすためになされたものである。
【課題を解決するための手段】
【０００４】  市販マヨネーズのやわらかいチューブ状容器、もしくはその様な容器（１）の口部分を、卵黄または全卵を取り出したそのままの形状でも入れやすい程に大きく（２）設け、ネジ式で脱着できる、搾り出し口のついたダブルキャップ（３）を設ける。
本発明は、以上の構成よりなる、簡単・スピーディに無添加の手作りマヨネーズが作れ、そのまま使用・保存できる容器である。
【発明の効果】
【０００５】  容器の口部分が大きくなっているので、材料の卵黄または全卵を取り出したそのままの形状で入れることができ、また、搾り出し口のついたダブルキャップのため、できたマヨネーズを他の容器に移し替える手間なくそのまま搾り出し使用・保存できる。使い方も簡単で、容器に材料を入れシェイクするだけなので、通常マヨネーズを手作りする時に使用するボウルや泡立て器などの道具も不要となり、洗い物も少なく済む。更に、口部分が大きい事によりキャップ部分を下にして立てても安定しているので、半固体状の中身を搾り出し口の方に溜めて保存でき、次の使用時に中身がすぐに出てきやすく、容器の材質もやわらかで中身を搾り出す事も容易なので、最後まできれいに使いきる事もできる。マヨネーズを簡単・スピーディに作れる事で、保存料や化学調味料などの合成添加物や、原料の賞味期限などを気にすることなく、いつでも新鮮で安全な無添加のマヨネーズを家族に食べさせる事ができ、使用する材料をオリーブオイルやグレープオイル、えごま油にしたり、米酢、黒酢にしたりと、好みやこだわりで替えたり、カレー粉や明太子を入れ味にアレンジを加えオリジナルのマヨネーズを作ったりと、料理の幅もグンと広がる。
【発明を実施するための最良の形態】
【０００６】  以下、本発明を実施するための最良の形態について説明する。
市販のマヨネーズの入ったチューブ状容器、もしくはその様な、透明もしくは半透明の、半固体状の中身が搾り出せる位のやわらかい、非通気性の容器（１）の口部分を、材料の卵が取り出したそのままの形状でも入れやすい程に大きく設け（２）、できたマヨネーズをそのまま搾り出して使える様、搾り出し口のついた、ネジ式で脱着できるダブルキャップ（３）を設ける。
これを使用する時は、まず材料の卵、塩、胡椒、酢、辛子などを適量入れ、キャップを閉めシェイクし、中身がよく混ざったら次に食用油を数回に分け加えていきその都度よくシェイクするだけである。マヨネーズが完成したら、ダブルキャップの上の部分を開け搾り口から出して使用すればよい。中身が半固体状でも容器がやわらかいので搾り出しやすく、また、余ったマヨネーズは次に使う時に中身がすぐ出てきやすい様、搾り出し口のあるキャップ部分を下にして立て冷蔵庫で保存すればよい。
【図面の簡単な説明】
【０００７】
【図１】本発明の斜視図である。
【符号の説明】
【０００８】  １容器本体
２容器口部分
３キャップ
【図１】
2010208689.tif 000003
(57)【要約】      （修正有）【課題】従来のカード収納ケースは、カードの出し入れが困難で、カード全体を確認できない構造のために、目的のカードを探すまでに時間を要した。この課題を解決し、合わせて、多枚数のカードをコンパクトに収納できる構造を提供する。【解決手段】カードケース１は、カード収納ポケット部を表面、裏面に多数保有し、カードの出し入れが容易な構造とする。カードケース１は、カードケース本体シート１ａ、カードケース表シート２ａ、および、カードケース裏シート２ｂにより構成され、表シート２ａ、裏シート２ｂは、本体シート１ａと縫合または融着されている。カードケース１ａ、表シート２ａ、裏シート２ｂは、柔軟に変形可能なシート材で形成され、且つ、表シート２ａ、裏シート２ｂは、収納カードが確認できる透明なシートとする。縫合部は、シート自体の変形の自由性により折りたたみが可能とする。【選択図】図１
2010208690.tif 000002
【特許請求の範囲】
【請求項１】
カードもしくはディスク状記憶媒体（以下、単に「ディスク」という。）を多枚数収納する収納ケースであり、全体はシート状で形成され、シートの片面のみ、あるいは、シートの表面と裏面の両面にカードもしくはディスクを収納するポケット部が形成されている。当該ポケット部にカードもしくはディスクが収納された状態において、ケース本体が折りたたまれ、変形する特徴を持つ収納ケース。
【請求項２】
請求項１に記載した特徴を持つカードもしくはディスクの収納ケースであって、これを付帯する財布もしくはバック類。
【発明の詳細な説明】
【技術分野】
【０００１】本発明は、カードもしくはディスクを収納するケースに関する。
【背景技術】
【０００２】財布またはクレジットカードケース、定期入れのカード収納部は、本体に段々の切れ込みがあり、その切れ込み部にカードを差込む構造となっている。
カードは、カード差込み部から一部分だけ出ており、カード全体が隠れているために、カード全体を確認することができず、目的のカードを探すまでに時間を要した。
【発明の概要】
【発明が解決しようとする課題】
【０００３】従来のカード収納には、次の解決すべき課題があった。
１．カード収納後は、カードの一部分のみが露出しているだけで容易にカードの識別が難しかった。
２．カード差し込み方式は、カード同士が重ならない構造であり、カードを多数枚収納するためには、カード一枚分の面積以上の固定的なスペースが必要であった。
【課題を解決するための手段】
【０００４】カードケース１は、カード収納ポケット部を表面、裏面に多数保有し、カードの出し入れが容易な構造とする。カードケース１は、カードケース本体シート１ａ、カードケース表シート２ａ、および、カードケース裏シート２ｂにより構成され、表シート２ａ、裏シート２ｂは、本体シート１ａと縫合または融着されている。カードケース１ａ、表シート２ａ、裏シート２ｂは、柔軟に変形可能なシート材で形成され、且つ、表シート２ａ、裏シート２ｂは、収納カードが確認できる透明なシートとする。縫合部は、シート自体の変形の自由性により折りたたみが可能とする。
広げられたカードケース１は、各収納ポケット部にカードが収納された状態を一目で確認でき、目的のカードもしくはディスクを即座に認識でき、目的のカードもしくはディスクを容易にカード収納部より取り出すことが可能となる。使用後は、カードケース１は、容易に縫合部で折りたたむことができ、コンパクトな形状となる。
【図面の簡単な説明】
【０００５】
【図１】広げられたカードケースの全体図を示す。収納物は、銀行カード、クレジットカードなどの長方形のカードとする。図は、表面にカード５枚、裏面にカード５枚が収納された状態である。断面図は、本体シートと表シート、裏シートの間にカードが差し込まれた状態である。
【図２】広げられたカードケースの全体図を示す。収納物は、ディスク状記憶媒体のＣＤ、ＤＶＤなどの円形のディスクとする。図は、表面にディスク５枚、裏面にディスク５枚が収納された状態である。断面図は、本体シートと表シート、裏シートの間にディスクが差し込まれた状態である。
【図３】広げられたカードケースの全体図を示す。収納物は、銀行カード、クレジットカードなどの長方形のカードとする。図は、表面にカード５枚が収納された状態である。断面図は、本体シートと表シートの間にカードが差し込まれた状態である
【図４】広げられたカードケースの全体図を示す。収納物は、銀行カード、クレジットカードなどの長方形のカードとする。図は、表面に縦方向のカード５枚が収納された状態である。断面図は、本体シートと表シートの間にカードが差し込まれた状態である
【図５】カードケースが折りたたまれる経過図を示す。カードケースは、縫合部折りたたみ箇所で屈折される。
【図６】カードケースが折りたたまれた最終形状図を示す。カードは、各シートを挟み密着した状態となる。
【図１】
2010208690.tif 000003
【図２】
2010208690.tif 000004
【図３】
2010208690.tif 000005
【図４】
2010208690.tif 000006
【図５】
2010208690.tif 000007
【図６】
2010208690.tif 000008
(57)【要約】【課題】  従来の部品では、音声を入出力する部品が大きく、厚いため、写真(ポスター等の印刷物)と組み込んだ際に厚みが出てしまい、アルバム写真に入るような一枚の写真とすることができなかった。【解決手段】音声、音響情報を記録再生可能な紙状の音声機能ユニットを用いて、印画紙裏面に非導電性の粘着材で接着し紙（印画紙に印刷された写真を含む）と一体化した。厚さは約２mmで一枚の紙とみなした複合紙であり、アルバム写真や額に収納可能である。【選択図】  図１
2010208213.tif 000002
【特許請求の範囲】
【請求項１】
薄くした音声モジュールに非電導的空間で紙(写真)に接着し、一体化したしゃべる写真。
【請求項２】
写真の代わりにポスター等の印刷物に一体化したしゃべる紙。
【発明の詳細な説明】
【技術分野】
【０００１】
本発明は、写真(ポスター等の印刷物)に関係した音声、音響情報を記録再生する機能を組込んだ写真（複合紙）に関するものである。
【背景技術】
【０００２】
印画紙に印刷された写真（ポスター等の印刷物）は撮影された静止映像を記録し、必要に応じて関係する情報を文字で印刷しているが、これに加えて音声・音響情報を記録再生する機能を持つものは存在していない。
【発明の概要】
【発明が解決しようとする課題】
【０００３】
従来の部品では、音声を入出力する部品が大きく、厚いため、写真(ポスター等の印刷物)と組み込んだ際に厚みが出てしまい、アルバム写真に入るような一枚の写真とすることができなかった。
【課題を解決するための手段】
【０００４】
前記の課題を解決するために、本発明の写真は、音声情報を出力可能なユニットを用いて、紙状の薄型音声記録再生回路(複合紙)を印画紙裏面に非導電性の粘着材で接着し紙（印画紙に印刷された写真を含む）と一体化した。  
【発明の効果】
【０００５】
本発明によれば、写真画像とともに音声・音響情報を紙状の写真に収録・再生をすることが可能になり、また一体化後の複合紙は厚さ約2mmにすることが可能であり従来の写真と同様に既存のアルバムや額にも収納可能である。
【発明を実施するための最良の形態】
【０００６】
発明の実施の形態を実施例に基づき図面を参照して説明する。
図1において、紙(写真を印刷した印画紙を含む)１に音声機能ユニット２を接着剤４により貼り付け、さらに紙状のカバー３を貼りつける。
【０００７】
図２において、紙(写真を印刷した印画紙を含む)１の裏面に音声機能ユニット２を接着剤により貼りつける。
【０００８】
さらに、図３における紙状のカバー３を貼りつける。音声機能ユニットのスピーカーに対応する位置には音を通過させるための孔５をあける。
【図面の簡単な説明】
【０００９】
【図１】本発明による写真の実施例を示す断面図である。
【図２】録音・再生回路等の取付部の実施例を示す平面図である。
【図３】写真の裏面に貼り付ける紙の実施例を示す平面図である。
【符号の説明】
【００１０】
１  写真(ポスター等の印刷物)
２  音声機能ユニット
３  紙状のカバー
４  接着剤
５  孔
【図３】
2010208213.tif 000003
【図１】
2010208213.tif 000004
【図２】
2010208213.tif 000005
(57)【要約】【課題】  多種・多様な把持対象物に対して柔軟になじみ、また把持対象物の把持・操り・運搬などの動作により生じる力やモーメントにも耐えうる把持機構を提供することを目的とする。【解決手段】  把持機構は、内外連続式袋状構造体１、状態変化部２、状態変化発生部３を有する。内外連続式袋状構造体１は、袋が外側から内側へと連続した構造となっている。状態変化部２は、内外連続式袋状構造体１に内包されている。状態変化発生部３は、上記状態変化部２の状態を変化させるものである。【選択図】図１
2010208006.tif 000002
【特許請求の範囲】
【請求項１】
以下の内外連続式袋状構造体、状態変化部、状態変化発生部を有する把持機構。
（イ）内外連続式袋状構造体
（ロ）上記内部に封入される状態変化部
（ハ）上記状態変化部の状態を変化させる状態変化発生部
【発明の詳細な説明】
【技術分野】
【０００１】  本発明は、把持機構に関する。
【背景技術】
【０００２】  従来、物体を把持する機構として、平行式の指構造を有するハンドやグリッパなどが多数研究開発されている（例えば、特許文献１参照。）。【０００３】  この問題を解決するために、多指を有するハンドが報告されている（例えば、特許文献２参照。）。【０００４】
【特許文献１】特開平５−２２８８７５号公報  （第１図）
【特許文献２】特開２００６−４３８４３号公報  （第１図）
【発明の開示】
【発明が解決しようとする課題】
【０００５】  しかしながら、上述した従来の機械式の把持機構では、なじみ性における分解能を高めようとすると、構造上部品点数が増え、複雑になりがちであり、把持状態を続けたり、力やモーメントが把持対象物を通して把持機構に加わった際に、関節にトルクを発生し続けなくてはいけないという問題がある。【０００６】  本発明は、このような課題に鑑みてなされたものであり、
多種・多様な把持対象物に対して柔軟になじみ、また把持対象物の把持・操り・運搬などの動作により生じる力やモーメントにも耐えうる把持機構を提供することを目的とする。
【課題を解決するための手段】
【０００７】  本発明の把持機構は、
以下の内外連続式袋状構造体、状態変化部、状態変化発生部を有するものである。（イ）内外連続式袋状構造体、（ロ）上記内部に封入される状態変化部、（ハ）上記状態変化部の状態を変化させる状態変化発生部。本発明により、なじみ性の分解能は非常に高いものとなり、状態変化部の状態を変化させることにより保持力を維持することができる。
【発明の効果】
【０００８】  本発明は、以下に記載されるような効果を奏する。
請求項１記載の発明である把持機構によれば、多種・多様な把持対象物に対して柔軟になじみ、また把持対象物の把持・操り・運搬などの動作により生じる力やモーメントにも耐えうる把持機構を提供することを目的とする。
【発明を実施するための最良の形態】
【０００９】  以下、本発明を実施するための最良の形態について説明する。
まず、把持機構にかかる発明を実施するための最良の形態について説明する。【００１０】  図１は、把持機構の一例を示す一部断面を有する斜視図である。本発明の把持機構は、内外連続式袋状構造体１、状態変化部２、状態変化発生部３からなっている。内外連続式袋状構造体１、状態変化部２、状態変化発生部３について説明する。【００１１】内外連続式袋状構造体１について説明する。
内外連続式袋状構造体１は、袋が外側から内側へと連続した構造となっている。内外連続式袋は閉じていることが望ましいが、後述する状態変化部２によってはこの限りではない内外連続式袋状構造体１はゴム、布などからなる。内外連続式袋状構造体１は、本発明の把持機構を搭載した箇所に対して、内外連続式袋状構造体１の内部の中央軸方向に相対的に直線状の往復運動を行うことが望ましい。【００１２】状態変化部２について説明する。
状態変化部２は、状態が液体状態から固体状態へ、もしくはその中間状態へという具合に、そのものの状態が変化するという特徴を持つものである。上記内外連続式袋状構造体１との組み合わせにより、低融点合金や機能性流体、複数の粒子状物体と媒体を混ぜ合わせたものが望ましいが、この限りではない。【００１３】状態変化発生部３について説明する。
状態変化発生部３は、上記状態変化部２の状態を変化させるものである。例えば、状態変化部２が低融点合金であれば、ヒータやクーラといった温度変化を起こすもの、状態変化部２が機能性流体の中でも磁性流体であれば、状態変化部の周りの磁場を変化させるものである。また、状態変化発生部３の位置は内外連続式袋状構造体１、状態変化部２から離れた位置であっても機能するのであれば問題は無く、該状態変化発生部の位置は限定されない。【００１４】  以上のことから、本発明を実施するための最良の形態によれば、
内外連続式袋状構造体１と該内外連続式袋状構造体に内包される状態変化部２により、多種多様な把持対象物になじみ、その後、状態変化部２の状態を状態変化発生部３によって変化させるため、保持力を維持することができる。【００１５】  なお、本発明は上述の発明を実施するための最良の形態に限らず本発明の要旨を逸脱することなくその他種々の構成を採り得ることはもちろんである。
【産業上の利用可能性】
【００１６】例えば多品種の品物を把持する工場内でのロボットハンドなどに応用可能である。
【図面の簡単な説明】
【００１７】
【図１】把持機構にかかる発明の実施の形態を示す図である。
【符号の説明】
【００１８】１‥‥内外連続式袋状構造体、２‥‥状態変化部、３‥‥状態変化発生部、４‥‥把持対象物
【図１】
2010208006.tif 000003
(57)【要約】【課題】本発明は、弁当箱をランチクロスで包む際、ランチクロスで包んだ後、結ばずにゴムで巻いて固定するゴム紐付ランチクロス提供する。【解決手段】矩形のランチクロスの一角にゴムひもを輪状にしたものを取り付けたことを特徴とするゴム紐付ランチクロス。【選択図】図１
2010179957.tif 000002
【特許請求の範囲】
【請求項１】
矩形のランチクロスの一角にゴムひもを輪状にしたものを取り付けたことを特徴とするゴム紐付ランチクロス。
【請求項２】
ゴムを二重に重ね、一箇所を二本一緒に縫製し輪状にしたものをランチクロスの１角に取り付けたことを特徴とする請求項１のゴム紐付ランチクロス。
【発明の詳細な説明】
【技術分野】
【０００１】  本発明は、弁当箱をランチクロスで包む際、ランチクロスで包んだ後、結ばずにゴムで巻いて固定するゴム紐付ランチクロスに関するものである。
【背景技術】
【０００２】  従来のランチクロスは、風呂敷の端を結ぶようにランチクロスの四隅のうち対角線の二隅を結んでいた。
通常の四角いランチクロスで弁当箱を包むと、弁当箱の上部にランチクロスを結んだ結びコブができ、弁当箱の上に、さらに物をのせられなかったり、むすぶときにできたしわがランチクロスを広げて弁当を食べる際、美しさを損ねたり、ある程度のおおきさがないと結べないということがあった。
【発明の概要】
【発明が解決しようとする課題】
【０００３】  従来のランチクロスは四隅のうち対角線の二隅を結んでいたため、つぎのような問題点があった。
（イ）結んだ部分がコブ状になり、弁当箱の上部部分にあたるため、その上に物を置きにくい。
（ロ）ランチクロスを弁当箱の下に敷いて弁当を食べる場合、結んでいたランチクロスの四隅がシワになり、美しくない。
（ハ）弁当箱が大きいとランチクロスに結ぶ余裕がない。
本発明は以上の問題点を解決するためになされたものである。
【課題を解決するための手段】
【０００４】  ゴム（１）を半分に折り、端から内側に入った部分を重ね縫いして輪ゴムを作る。
ランチクロスの四隅の一隅に輪状からはずれた部分のゴムを固定する。
以上の構成によるゴム紐付ランチクロス。
【発明の効果】
【０００５】  本発明を使用することにより、ランチクロスを結ばなくとも弁当箱をしっかり包める。
ランチクロスの結び目がないため、包んだ弁当箱の上に物をのせることができる。
鞄の中にすっきりと収納できる。
また、ランチクロスがシワにならないため、広げて使う際、美しい。
【発明を実施するための形態】
【０００６】  以下本発明の実施の形態を説明する。
（イ）ゴム（１）を半分に折り、包む大きさにあわせ、一箇所を縫製し、固定部（２）を作り、輪部（３）と接続面（４）を作る。
（ロ）矩形ランチクロス（５）の一隅に（イ）で作ったゴム（１）の接続面（４）を縫製・カシメ等で接続する。
本発明は以上のような構造である。
本発明を使用するときは、ランチクロス（５）の上に弁当箱を置き、ゴム（１）に向かって残り三辺を巻き込みながら包む。
包み終わったら、ゴム（１）の輪部（３）を広げ、裏面が表面になるようにクルリと返して、弁当箱の上から輪部（３）を巻いて固定する。
ゴム（１）の固定部（２）でしっかり輪部（３）の引っ張り合う力を完結しているので、接続部（４）やランチクロス（５）にまでひっぱったときにひきつれやよじれが発生しない。
ランチクロス（５）の一隅に輪状のゴム（１）を固定し、弁当をランチクロスで包んだ最後に、その輪状のゴム（１）で弁当箱を固定する。
【図面の簡単な説明】
【０００７】
【図１】  本発明の広げた斜視図
【図２】  本発明のゴムを輪状に縫製した斜視図
【図３】  本発明の使用状態を示した斜視図
【符号の説明】
【０００８】  １  ゴム
２  固定部
３  輪部
４  接続面
５  ランチクロス
６  接続部
【図１】
2010179957.tif 000003
【図２】
2010179957.tif 000004
【図３】
2010179957.tif 000005
(57)【要約】      （修正有）【課題】健康的な飲食物を提供する。【解決手段】紫の可視光線の外側に付属している殺菌作用のある不可視光線の近紫外線を透過する紫色で透明度の高い容器１を作成し、その容器内に飲料水等２を内蔵して照明されている場所あるいは太陽光が現存している明るい場所などに飲料水等２を内蔵した該紫色の容器を置けば、近紫外線３００〜４００ｎｍが浸透して容器内部の飲食水等２が殺菌されるので、この殺菌された衛生的で健康な飲料水等２を提供する。【選択図】図１
2010179959.tif 000002
【特許請求の範囲】
【請求項１】
紫の可視光線と不可視光線の近紫外線を透過する容器
【発明の詳細な説明】
紫の可視光線の外側に付属している不可視光線の近紫外線を透過する紫色で透明度の高い容器を作成し、その容器内に飲料水等を内蔵して照明されている場所あるいは太陽光が現存している明るい場所などに本発明の紫色の容器に飲料水などを内蔵した容器を置けば、内部は近紫外線で３００〜４００ｎｍ浸透して殺菌されるので、衛生的で健康的な飲食物を提供できる「紫の可視光線と不可視光線の近紫外線を透過する容器」
【図面の簡単な説明】
【図１】は紫色で透明の容器の斜視図
【符号の説明】（１）は紫色で透明の容器  （２）は近紫外線の透過で殺菌された容器内の飲食物  （３）は容器の蓋
【図１】
2010179959.tif 000003
(57)【要約】【課題】  音楽や企業広告アナウンスやコマーシャル等の映像等を流すことができる音声・音楽再生装置、スピーカー、および映像再生装置、ディスプレイ装置を取り付けた給油装置・燃料供給装置を提供する。【解決手段】  給油装置・燃料供給装置（１）、またはその周辺に音声・音楽再生装置（２）、スピーカー（３）と映像再生装置（４）、ディスプレイ装置（５）を取り付けた音声・音楽再生装置、スピーカーおよび映像再生装置、ディスプレイ装置付き、給油装置・燃料供給装置を特徴とする。【選択図】図１
2010179958.tif 000002
【特許請求の範囲】
【請求項１】
燃料供給装置（１）の本体、またはその周辺に音声・音楽再生装置（２）、スピーカー（３）、映像再生装置（４）、ディスプレイ装置（５）を取り付けた音声・音楽再生装置、スピーカー、および映像再生装置、ディスプレイ装置付き、給油装置・燃料供給装置。
【発明の詳細な説明】
【技術分野】
【０００１】  この発明は、音楽や企業広告アナウンスやコマーシャル等を流すための音声・音楽再生装置、スピーカー、および映像再生装置、ディスプレイ装置付き給油装置・燃料供給装置に関するものである。
【背景技術】
【０００２】  従来、給油装置・燃料供給装置、またはその周辺には、音楽や企業広告アナウンスやコマーシャル等を流すための音声・音楽再生装置、スピーカーおよび映像再生装置、ディスプレイ装置は付いていなかった。
【発明の開示】
【発明が解決しようとする課題】
【０００３】  これは、次のような欠点があった。従来、給油装置・燃料供給装置から給油する間、給油する人は、現在の給油量を表す計器を見るか、ただ時間を待つだけであった。
本発明は、以上のような欠点をなくすためになされたものである。
【課題を解決するための手段】
【０００４】  給油装置・燃料供給装置（１）、またはその周辺に、音声・音楽再生装置（２）、スピーカー（３）、映像再生装置（４）、ディスプレイ装置（５）を取り付ける。
本発明は、以上の構成よりなる音声・音楽再生装置、スピーカーおよび映像再生装置、ディスプレイ装置付き、給油装置・燃料供給装置である。
【発明の効果】
【０００５】  音楽や企業広告アナウンスやコマーシャル等の映像等を流すことで、給油する人の、待つ時間を満たし、かつ企業の宣伝にもなる。さらに現在の給油量を表す数字を映像再生装置の画面端に表示することもできるようになり、給油装置・燃料供給装置の付加価値を高めることができる。
【発明を実施するための最良の形態】
【０００６】  以下、本発明を実施するための最良の形態について説明する。
ガソリン、軽油、灯油、天然ガス、電気、バイオエタノール、水素スタンド等の燃料供給装置（１）の本体に音声・音楽再生装置（２）、スピーカー（３）、ブラウン管、ＳＥＤ、液晶、プラズマディスプレイ、有機ＥＬ、立体テレビ等の映像再生装置（４）、ディスプレイ装置（５）を取り付ける。または、燃料供給装置の周りに音声・音楽再生装置、スピーカー、映像  再生装置、ディスプレイ装置を一体化したボックスを設置し、燃料供給装置と接続する。
本発明は、以上のような構造である。
これを使用するときは、給油する間、音声・音楽や企業広告アナウンスやコマーシャル等の映像等を流せばよい。
【図面の簡単な説明】
【０００７】
【図１】本発明の斜視図である。
【図２】本発明の正面図である。
【符号の説明】
【０００８】１  燃料供給装置
２  音声・音楽再生装置
３  スピーカー
４  映像再生装置
５  ディスプレイ装置
【図１】
2010179958.tif 000003
【図２】
2010179958.tif 000004
(57)【要約】      （修正有）【課題】離着陸時には飛行機の翼を畳み、ヘリコプターとして、垂直離着陸を行なう。空中では飛行機の翼を完全に伸ばし、飛行機として飛ぶ。そうする事で、広い飛行場を必要としない、非常に効率的な飛行機を提供する。【解決手段】飛行機の大きさにより、ヘリコプターの翼を１ないし数個取り付ける事で離着陸時には飛行機の翼を畳み、ヘリコプターとして、垂直離着陸を行なう。空中では飛行機の翼を完全に伸ばし、飛行機として飛ぶ。【選択図】図１
2010179902.tif 000002
【特許請求の範囲】
【請求項１】
ヘリコプターの翼が１ないし数個付いた飛行機およびその方法
【発明の詳細な説明】
【技術分野】
【０００１】ヘリコプターの翼が１ないし数個付いた飛行機およびその方法。
【背景技術】
【０００２】ヘリコプターの翼が１ないし数個付いた飛行機およびその方法。飛行機の大きさにより、ヘリコプターの翼を１ないし数個取り付ける事で離着陸時には飛行機の翼を畳み、ヘリコプターとして、垂直離着陸を行なう。空中では飛行機の翼を完全に伸ばし、飛行機として飛ぶ。そうする事で、広い飛行場を必要としない、非常に効率的な飛行機となることを特徴とする。
特許電子図書館、及びＪＤＲＥＡＭ２で検索したところ、全く無かった。
【特許文献１】
【特許文献２】
【非特許文献１】
【非特許文献２】
【発明の開示】
【発明が解決しようとする課題】
【０００３】ヘリコプターの翼が１ないし数個付いた飛行機およびその方法。飛行機の大きさにより、ヘリコプターの翼を１ないし数個取り付ける事で離着陸時には飛行機の翼を畳み、ヘリコプターとして、垂直離着陸を行なう。空中では飛行機の翼を完全に伸ばし、飛行機として飛ぶ。そうする事で、広い飛行場を必要としない、非常に効率的な飛行機となることを特徴とする。
【課題を解決するための手段】
【０００４】  ヘリコプターの翼が１ないし数個付いた飛行機およびその方法。飛行機の大きさにより、ヘリコプターの翼を１ないし数個取り付ける事で離着陸時には飛行機の翼を畳み、ヘリコプターとして、垂直離着陸を行なう。
【発明の効果】
【０００５】広い飛行場を必要としない、非常に効率的な飛行機となることを特徴とする。
【発明を実施するための最良の形態】
【０００６】  ヘリコプターの翼が１ないし数個付いた飛行機およびその方法。飛行機の大きさにより、ヘリコプターの翼を１ないし数個取り付ける事で離着陸時には飛行機の翼を畳み、ヘリコプターとして、垂直離着陸を行なう。空中では飛行機の翼を完全に伸ばし、飛行機として飛ぶ。そうする事で、広い飛行場を必要としない、非常に効率的な飛行機となることを特徴とする。
【実施例】
【０００７】ヘリコプターの翼が１ないし数個付いた飛行機およびその方法。飛行機の大きさにより、ヘリコプターの翼を１ないし数個取り付ける事で離着陸時には飛行機の翼を畳み、ヘリコプターとして、垂直離着陸を行なう。空中では飛行機の翼を完全に伸ばし、飛行機として飛ぶ。そうする事で、広い飛行場を必要としない、非常に効率的な飛行機となることを特徴とする。
実施例は下記に示す。
【産業上の利用可能性】
【０００８】「ヘリコプターの翼が１ないし数個付いた飛行機およびその方法。飛行機の大きさにより、ヘリコプターの翼を１ないし数個取り付ける事で離着陸時には飛行機の翼を畳み、ヘリコプターとして、垂直離着陸を行なう。空中では飛行機の翼を完全に伸ばし、飛行機として飛ぶ。そうする事で、広い飛行場を必要としない、非常に効率的な飛行機となることを特徴とする。」は産業上の利用可能性は極めて大きい
【図面の簡単な説明】
【０００９】
【図１】実施例として仮想図を示す。
【図１】
2010179902.tif 000003
(57)【要約】      （修正有）【課題】真夏の道路表面の温度は５０℃を越える、ベビーカーの乳幼児は比較的低い位置に乗せられ、高温度の熱気と、道路から舞い上る粉塵を最大限遮断しようとするものである。【解決手段】熱遮断板１を、できるだけ道路表面に近いベビーカーの車輪の真上に取り付ける。車軸の４本に熱遮断板のアルミニユウムフィルムを道路表面側に向け４箇所の切れ目を設定したのち、ＳＢＳ丸パイプを筒状に縫製した切れ目から通し、６のマジックテープで固定すると熱遮断板１が装着される。【選択図】図１
2010179906.tif 000002
【特許請求の範囲】
【請求項１】
乳母車の車輪の上部に本発明の熱遮断板を取り付け道路から上昇する熱気を遮断し、乳幼児の健康を守る熱遮断装置。
【請求項２】
熱遮断板を乳幼児の座る座部と背もたれ側に取り付け断熱材の表面には眼にやさしい緑色にした請求項１に記載の熱遮断装置。
【発明の詳細な説明】
【技術分野】
【０００１】本発明は道路上から発する熱気を断熱装置をベビーカーに取り付け温熱を遮断しようとする装置。
【背景技術】
【０００２】従来のベビーカーには熱遮断板は装備しておらず道路面の熱気は直接乳幼児が乗っている位置に上昇している，これは乳幼児にとって極めて苛酷な状態であった。
【特許文献】
【非特許文献】この事例に該当する文献がなかった。
【発明の開示】
【発明が解決しようとする課題】
【０００３】アスフアルトの道路面の表面温度が高温であることに気づきながら従来のベビーカーには熱遮断板を取り付けようとしなかったところに問題点があった。【０００４】本発明は乳幼児の健康を守るため、道路表面から上昇する熱気を遮断し，道路から舞い上る粉塵をベビーカーの低部で遮断し、断熱効果のある熱遮断板を取り付け問題を解決しようとするものである。
【課題を解決するための手段】
【０００５】上記問題を解決するためベビーカーの４箇所の車輪の上部に断熱材を用いた熱遮断板を取り付けて快適な環境にすることを目的とし、乳幼児の尻の下部，及び背もたれに使用し道路からの熱気を遮断することができる。【０００６】乳幼児の眼を刺激しないように眼線にはいる部分は緑色として，ベビーカーの車輪が隠れるくらいの大きさにして道路上から舞い上る粉塵を最大限防ぐものである。
【発明の効果】
【０００７】従来のベビーカーは道路表面の熱気が直接乳幼児の座しているところまで上昇していたが、断熱効果のある，熱遮断板を取り付けたことによって地表温度と乳幼児の尻の真下では、１１．５℃の温度差が確認された。
【発明を実施するための最良の形態】
【０００８】以下，本発明の実施の形態として第１の実施例及び第２の実施例を図１〜図４に基づいて説明する。
【実施例１】
【０００９】図１に於ける１が本発明の熱遮断板で、できるだけ道路表面に近いベビーカーの車輪の真上に取り付ける。車軸の４本に熱遮断板のアルミニユウムフィルムを道路表面側に向け４箇所の切れ目を設定したのち、ＳＢＳ丸パイプを筒状に縫製した図２の２から通し、最後に１に入れ、６のマジックテープで固定すると熱遮断板が装着される。
【実施例２】
【００１０】図３の１は乳幼児の眼を刺激しないように緑色のポリエチレンを用い、図４の４のように断熱効果のある発泡ポリエチレンを蒸着したシートを用い熱遮断効果を一層強力にした。
【図面の簡単な説明】
【００１１】
【図１】本発明の斜視図である。
【図２】本発明の熱遮断板の平面図である。
【図３】本発明の熱遮断板の単体斜視図である。
【図４】本発明の熱遮断板に用いる断熱材の構造図である。
【符号の説明】
【００１２】図１〜１、２、３は本発明の熱遮断板をベビーカーに取り付けた図。
４はベビーカーの車軸にマジックテープで取り付けた図。
図２〜１、２、４、８は熱遮断板の上部を縫製により筒状に製作した。
３はベビーカーの車軸
５は熱遮断板の下部にベビーカーの車輪がある図
６はＳＢＳ丸パイプを通したあとのマジックテープで止めた図。
図３〜１は乳幼児の方から見た面で緑色のポリエチレンシートを用いる。
２は４本の車軸に装着する時の切れ目
３はマジックテープを縫い付ける。
図４〜１は地面側に取り付けるアルミニュウム板
２は蒸着発泡ポリエチレン
３は緑色のポリエチレンシート４はバージンポリエチレン
【図１】
2010179906.tif 000003
【図２】
2010179906.tif 000004
【図３】
2010179906.tif 000005
【図４】
2010179906.tif 000006